(57)【要約】      （修正有）【課題】ストレージカードと回路板間の信号接続用のストレージカードコネクタの提供。【解決手段】導電端子を収容した絶縁フレームと、絶縁フレームに取り付けられてストレージカードの挿入と退出を案内するカード退出機構と、絶縁フレームの外周面を被覆するシールドとを包含し、該絶縁フレームに常開式タッチスイッチが設けられ、該常開式タッチスイッチは、同じ構造で相互に対応するように並列に配列された第１ピンと第２ピンを包含し、各ピンが本体、接触アーム、干渉アーム及びソルダーアームを具え、該接触アームが本体の一側より９０度折り曲げられ、並びに端部が反対方向に回されてサスペンションアーム式に支持アームを形成し、その中段に湾曲部が形成され、自由端に圧接部を形成され、第１ピンの支持アームが挿入されたストレージカードに押圧された後、該支持アームの圧接部が第２ピンの支持アームの湾曲部と接触し、信号を連通させる。【選択図】図１
0003113411.tif 000002
【実用新案登録請求の範囲】
【請求項１】
ストレージカードと回路板の間の信号の接続に用いられ、ストレージカードの直接挿入或いは退出制御が行なえる（Ｐｕｓｈ−Ｐｕｓｈ  Ｔｙｐｅ）ストレージカードコネクタであって、
絶縁フレームであって、共同でストレージカードのスロットを形成する本体、両側辺及び底辺を具え、該本体に複数の端子収容溝が設けられ、該端子収容溝に近接する一側に取り付け溝が設けられた、上記絶縁フレームと、
複数の導電端子であって、複数の端子収容溝内に取り付けられ、本体、接触端、干渉端、及びソルダー端を具えた、上記複数の導電端子と、
カード退出機構であって、絶縁フレームの該取り付け溝と反対の側辺に取り付けられ、  ストレージカードの挿入と退出を案内する案内溝を具え、該案内溝の一側に連動アームが設けられたスライドシートと、
一端が絶縁フレームの側辺に枢設され、もう一端が案内溝に沿って移動可能とされたガイドロッドと、
該スライドシートの動作後の回復力を提供する弾性部品と、
を具えた、上記カード退出機構と、
シールドであって、絶縁フレームに取り付けられ、少なくとも絶縁フレームの本体及び両側辺を被覆する、上記シールドと、
タッチスイッチであって、該取り付け溝に取り付けられ、常開式設計とされ、同じ構造で相互に対応し且つ並列に配列された第１ピンと第２ピンを具え、各第１、第２ピンが本体、接触アーム、干渉アーム、及びソルダーアームを具え、該接触アームが第１、第２ピンの本体の一側より９０度折り曲げられ、並びに端部が反対方向に回転させられてサスペンションアーム式の支持アームを形成し、その中段に湾曲部が形成され、自由端が圧接部を形成し、第１ピンの支持アームが挿入されたストレージカードにより押圧された後、該支持アームの圧接部が第２ピンの支持アームの湾曲部に接触して信号を連通させる、上記タッチスイッチと、
を包含したことを特徴とする、ストレージカードコネクタ。
【請求項２】
請求項１記載のストレージカードコネクタにおいて、係合ロッドを更に具え、該係合ロッドが連動アームに取り付けられる取り付け端と、該連動アームより露出した一端に設けられてサスペンションアーム式に設置された係合端を具えたことを特徴とする、ストレージカードコネクタ。
【請求項３】
請求項２記載のストレージカードコネクタにおいて、連動アームがＬ形を呈し、スライドシートと位置がずれるように設置され、スライドシートと肩部を形成したことを特徴とする、ストレージカードコネクタ。
【請求項４】
請求項３記載のストレージカードコネクタにおいて、弾性部品が圧縮バネとされてスライドシートと連動アームの形成する肩部に取り付けられたことを特徴とする、ストレージカードコネクタ。
【請求項５】
請求項４記載のストレージカードコネクタにおいて、肩部に圧縮バネの取り付けに供される位置決め柱が設けられたことを特徴とする、ストレージカードコネクタ。
【請求項６】
請求項５記載のストレージカードコネクタにおいて、係合ロッドが連動アームの内側端に沿って設置され、且つその係合端が凸円弧とされ、ストレージカード側辺の係止溝に係合することを特徴とする、ストレージカードコネクタ。
【請求項７】
請求項６記載のストレージカードコネクタにおいて、第１、第２ピンの干渉アームとソルダーアームが導電端子の干渉端とソルダー端と同じ構造とされ、即ち、干渉アームと干渉端が第１、第２ピンの本体又は導電端子の本体の側端の側辺より延伸された逆刺状とされ、ソルダーアームとソルダー端が折り曲げられて表面実装に供されることを特徴とする、ストレージカードコネクタ。
【請求項８】
請求項１記載のストレージカードコネクタにおいて、取り付け溝内にストッパ壁が設けられて第１、第２ピンの支持アームの根部の応力を制御することを特徴とする、ストレージカードコネクタ。
【請求項９】
請求項１記載のストレージカードコネクタにおいて、スライドシート上の案内溝がハート形とされたことを特徴とする、ストレージカードコネクタ。
【請求項１０】
請求項１記載のストレージカードコネクタにおいて、絶縁フレームの側辺にガイドロッドの一端を固定するための軸座が設けられたことを特徴とする、ストレージカードコネクタ。
【請求項１１】
請求項１記載のストレージカードコネクタにおいて、シールドと絶縁フレームの固定が、絶縁フレームの本体及び両側辺に設けられた係止体と、シールドに該係止体に対応するように設けられた係止孔の係合によることを特徴とする、ストレージカードコネクタ。
【考案の詳細な説明】
【技術分野】
【０００１】
本考案は一種のストレージカードコネクタに係り、特に信号起動スイッチ及びストレージカード挿入後のロック効果を具えたストレージカードコネクタに関する。
【背景技術】
【０００２】
情報テクノロジーとデジタル化の発展に伴い、応用の対象に応じて異なる構造設計を有するストレージカードが提供されるようになった。周知のストレージカードコネクタは、ストレージカードの挿入と退出を直接ストレージカードを押圧することで操作するプッシュプッシュタイプ（Ｐｕｓｈ−Ｐｕｓｈ  Ｔｙｐｅ）とされ、その構造は、導電端子を具えた絶縁フレーム、絶縁フレームに取り付けられてストレージカードの挿入と退出を案内するカード退出機構、及び絶縁フレーム外周面を被覆するシールドで構成されている。しかし、このようなストレージカードコネクタの体積は小さく且つカード挿入行程が短いため、位置決め完成を確実に感じ取ることができず、ゆえに往々にしてストレージカードを定位に挿入することでタッチスイッチが起動されるようにして、タッチスイッチが起動されなければ信号伝送が行なえないようにしている。
【０００３】
しかし、周知のタッチスイッチの形態は常閉式或いは常開式のいずれの設計であっても、二つ或いは三つの異なる形態の部品を組み合わせてなり、このため製造工程と組立がいずれも複雑で面倒であり、且つ製造コストが高くなる。
【０００４】
さらに周知のカード退出機構はストレージカードの挿入、退出時の案内、位置決めを提供するが、ストレージカード挿入時のロック機能がなく、このため、ストレージカード挿入後に挿入と逆方向に引き抜く外力或いは衝突を受けるか、或いは比較的悪い作業環境中で使用されると、ストレージカードがぐらつき偏移し、導電端子と確実に接触不能となり、このため電気信号の伝送が不安定となり、導電端子の不当な摩損を形成することがある。
【考案の開示】
【考案が解決しようとする課題】
【０００５】
本考案の目的は、一種のストレージカードコネクタを提供することにあり、それは製造工程と組立がいずれも簡単で、且つストレージカード挿入後のロック位置決め効果を具え、十分に製造コストを下げることができ、且つ安定したデータ伝送を確保できるものとする。
【０００６】
上述の目的を達成するため、本考案のストレージカードコネクタは、導電端子を収容した絶縁フレームと、絶縁フレームに取り付けられてストレージカードの挿入と退出を案内するカード退出機構と、絶縁フレームの外周面を被覆するシールドとを包含し、該絶縁フレームに常開式タッチスイッチが設けられ、該常開式タッチスイッチは、同じ構造で相互に対応するように並列に配列された第１ピンと第２ピンを包含し、各ピンが本体、接触アーム、干渉アーム及びソルダーアームを具え、該接触アームが本体の一側より９０度折り曲げられ、並びに端部が反対方向に回されてサスペンションアーム式に支持アームを形成し、その中段に湾曲部が形成され、自由端に圧接部を形成され、第１ピンの支持アームが挿入されたストレージカードに押圧された後、該支持アームの圧接部が第２ピンの支持アームの湾曲部と接触し、信号を連通させる。
【課題を解決するための手段】
【０００７】
請求項１の考案は、ストレージカードと回路板の間の信号の接続に用いられ、ストレージカードの直接挿入或いは退出制御が行なえる（Ｐｕｓｈ−Ｐｕｓｈ  Ｔｙｐｅ）ストレージカードコネクタであって、
絶縁フレームであって、共同でストレージカードのスロットを形成する本体、両側辺及び底辺を具え、該本体に複数の端子収容溝が設けられ、該端子収容溝に近接する一側に取り付け溝が設けられた、上記絶縁フレームと、
複数の導電端子であって、複数の端子収容溝内に取り付けられ、本体、接触端、干渉端、及びソルダー端を具えた、上記複数の導電端子と、
カード退出機構であって、絶縁フレームの該取り付け溝と反対の側辺に取り付けられ、  ストレージカードの挿入と退出を案内する案内溝を具え、該案内溝の一側に連動アームが設けられたスライドシートと、
一端が絶縁フレームの側辺に枢設され、もう一端が案内溝に沿って移動可能とされたガイドロッドと、
該スライドシートの動作後の回復力を提供する弾性部品と、
を具えた、上記カード退出機構と、
シールドであって、絶縁フレームに取り付けられ、少なくとも絶縁フレームの本体及び両側辺を被覆する、上記シールドと、
タッチスイッチであって、該取り付け溝に取り付けられ、常開式設計とされ、同じ構造で相互に対応し且つ並列に配列された第１ピンと第２ピンを具え、各第１、第２ピンが本体、接触アーム、干渉アーム、及びソルダーアームを具え、該接触アームが第１、第２ピンの本体の一側より９０度折り曲げられ、並びに端部が反対方向に回転させられてサスペンションアーム式の支持アームを形成し、その中段に湾曲部が形成され、自由端が圧接部を形成し、第１ピンの支持アームが挿入されたストレージカードにより押圧された後、該支持アームの圧接部が第２ピンの支持アームの湾曲部に接触して信号を連通させる、上記タッチスイッチと、
を包含したことを特徴とする、ストレージカードコネクタとしている。
請求項２の考案は、請求項１記載のストレージカードコネクタにおいて、係合ロッドを更に具え、該係合ロッドが連動アームに取り付けられる取り付け端と、該連動アームより露出した一端に設けられてサスペンションアーム式に設置された係合端を具えたことを特徴とする、ストレージカードコネクタとしている。
請求項３の考案は、請求項２記載のストレージカードコネクタにおいて、連動アームがＬ形を呈し、スライドシートと位置がずれるように設置され、スライドシートと肩部を形成したことを特徴とする、ストレージカードコネクタとしている。
請求項４の考案は、請求項３記載のストレージカードコネクタにおいて、弾性部品が圧縮バネとされてスライドシートと連動アームの形成する肩部に取り付けられたことを特徴とする、ストレージカードコネクタとしている。
請求項５の考案は、請求項４記載のストレージカードコネクタにおいて、肩部に圧縮バネの取り付けに供される位置決め柱が設けられたことを特徴とする、ストレージカードコネクタとしている。
請求項６の考案は、請求項５記載のストレージカードコネクタにおいて、係合ロッドが連動アームの内側端に沿って設置され、且つその係合端が凸円弧とされ、ストレージカード側辺の係止溝に係合することを特徴とする、ストレージカードコネクタとしている。
請求項７の考案は、請求項６記載のストレージカードコネクタにおいて、第１、第２ピンの干渉アームとソルダーアームが導電端子の干渉端とソルダー端と同じ構造とされ、即ち、干渉アームと干渉端が第１、第２ピンの本体又は導電端子の本体の側端の側辺より延伸された逆刺状とされ、ソルダーアームとソルダー端が折り曲げられて表面実装に供されることを特徴とする、ストレージカードコネクタとしている。
請求項８の考案は、請求項１記載のストレージカードコネクタにおいて、取り付け溝内にストッパ壁が設けられて第１、第２ピンの支持アームの根部の応力を制御することを特徴とする、ストレージカードコネクタとしている。
請求項９の考案は、請求項１記載のストレージカードコネクタにおいて、スライドシート上の案内溝がハート形とされたことを特徴とする、ストレージカードコネクタとしている。
請求項１０の考案は、請求項１記載のストレージカードコネクタにおいて、絶縁フレームの側辺にガイドロッドの一端を固定するための軸座が設けられたことを特徴とする、ストレージカードコネクタとしている。
請求項１１の考案は、請求項１記載のストレージカードコネクタにおいて、シールドと絶縁フレームの固定が、絶縁フレームの本体及び両側辺に設けられた係止体と、シールドに該係止体に対応するように設けられた係止孔の係合によることを特徴とする、ストレージカードコネクタとしている。
【考案の効果】
【０００８】
本考案のストレージカードコネクタは、製造工程と組立がいずれも簡単で、且つストレージカード挿入後のロック位置決め効果を具え、十分に製造コストを下げることができ、且つ安定したデータ伝送を確保できる。
【考案を実施するための最良の形態】
【０００９】
図１、２に示されるように、本考案のストレージカードコネクタ１は、絶縁フレーム２、複数の導電端子３、カード退出機構４及びシールド５を包含し、そのうち、絶縁フレーム２は共同でストレージカードを収容するスロット２０１を形成する本体２０、両側辺２１、２２、及び底辺２３を具えている。また、本体２０に複数の端子収容溝２０２が設けられて導電端子３を収容する。また、本体２０及び両側辺２１、２２に係止体２００、２１０、２２０（図３参照）が設けられてシールド５の係止に供される。絶縁フレーム２の端子収容溝２０２に近接するように、取り付け溝２０３が設けられて後述のタッチスイッチ６の第１、第２ピン６０、６１を収容し、且つ取り付け溝２０３内にストッパ壁２０４が設けられて第１、第２ピン６０、６１の支持アーム６０５、６１５の根部応力を制御することができる。
【００１０】
複数の導電端子３は、それぞれが本体３０、接触端３１、干渉端３２及びソルダー端３３を具え、そのうち、干渉端３２は本体３０の側端より逆刺状に形成されて端子収容溝２０２の内壁と干渉を形成するように組み合わされる。ソルダー端３３は折り曲げられて表面実装に供される。
【００１１】
該カード退出機構４は、絶縁フレーム２の側辺２１に取り付けられ、スライドシート４０を包含し、該スライドシート４０にストレージカードの挿入と退出を案内するハート形案内溝４０１を具え、該案内溝４０１に近接する側辺に連動アーム４０２が設けられ、該連動アーム４０２はＬ形を呈し、それは該スライドシート４０と一体に位置をずらして設置され、スライドシート４０と肩部４０３を形成し、該肩部４０３に位置決め柱４０４が設けられている。ガイドロッド４１の一端４１０が絶縁フレーム２の側辺の軸座２０５に枢設され、もう一端４１１はハート形の案内溝４０１に沿って移動可能とされる。弾性部品４２は、圧縮バネとされて前述の位置決め柱４０４に嵌合されて、スライドシート４０の動作後の回復力を提供する。
【００１２】
別に、図６に示されるように、連動アーム４０２に更に係合ロッド４３が設けられ、該係合ロッド４３は連動アーム４０２の内側端に沿ってサスペンションアーム式に設置され、取り付け端４３０を具えて連動アーム４０２に取り付けられ、及び係合端４３１を具え、該係合端４３１は凸円弧状とされて該連動アーム４０２より露出している。続いて図７を参照されたい。ストレージカード７が定位まで挿入されると、係合ロッド４３の係合端４３１がストレージカード７の側端の係止溝７０に係合し、外力により挿入と反対の方向に引き抜こうとされるか或いは衝突を受けても、或いは比較的悪い環境で使用される時も、ストレージカード７はぐらつきや偏移を発生せず、これによりデータの安定した伝送が確保される。
【００１３】
該シールド５は、絶縁フレーム２のカード退出機構４に対向する側辺に取り付けられ、絶縁フレーム２の本体２０、両側辺２１、２２、及び底辺２３を被覆する。それは絶縁フレーム２の係止体２００、２１０、２２０に対応する係止孔５０、５１、５２を具え、両者が組み合わされ一体とされる（図２、３参照）。
【００１４】
図１を再び参照されたい。タッチスイッチ６は該取り付け溝２０３内に取り付けられ、それは常開式設計とされ、同じ構造で相互に対応するように並列に配列された第１ピン６０と第２ピン６１を包含し、各第１ピン６０、第２ピン６１は本体６０１、６１１、接触アーム６０２、６１２、干渉アーム６０３、６１３、及びソルダーアーム６０４、６１４を具えている。続いて図４、５に示されるように、該第１ピン６０と第２ピン６１は製造時は導電端子３と同一のキャリアテープ８上に加圧、折り曲げ加工により形成され、即ち、第１ピン６０と第２ピン６１の接触アーム６０２、６１２は本体６０１、６１１の一側より９０度折り曲げられ（図４）、並びに端部が逆方向に回されてサスペンションアーム式の支持アーム６０５、６１５が形成され、その中段６０６、６１６に湾曲部が形成され、自由端６０７、６１７は圧接部を形成し、第１ピン６０の支持アーム６０５が挿入されたストレージカードにより押圧された後、該支持アーム６０５の圧接部６０７が第２ピン６１の支持アーム６１５と湾曲部６１６にあって接触し、信号を連通させる。更に、図８、図９に示されるように、ストレージカード７が未挿入の時、該第１ピン６０と第２ピン６１は不接触の常開状態を呈し（図８）、一旦、ストレージカード７が挿入、位置決めされた後（図９）は、第１ピン６０の圧接部６０７が第２ピン６１の湾曲部６１６と接触し電源を導通させる。
【００１５】
総合すると、本考案のストレージカードコネクタは確実に予期された目的を達成し、実用新案登録の要件を具備する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１６】
【図１】本考案のストレージカードコネクタの立体分解図である。
【図２】図１の立体組合せ図である。
【図３】図２の別角度の立体図である。
【図４】本考案の導電端子及びタッチスイッチのキャリアテープ上での配置図である。
【図５】本考案の導電端子及びタッチスイッチのキャリアテープ上での立体図である。
【図６】本考案の係合ロッドが連動アームに組み合わされた立体図である。
【図７】ストレージカードが本考案のストレージカードコネクタに挿入されて係合された状態の平面図である。
【図８】本考案のタッチスイッチの第１、第２ピンの常態での分離状態表示図である。
【図９】本考案のタッチスイッチの第１、第２ピンのストレージカード挿入後の接触状態表示図である。
【符号の説明】
【００１７】
１  ストレージカードコネクタ          ２  絶縁フレーム
３  導電端子                          ４  カード退出機構
５  シールド                          ６  タッチスイッチ
７  ストレージカード                  ８  キャリアテープ
２０  本体                            ２１、２２  側辺
２３  底辺                            ２０１  スロット
２００、２１０、２２０  係止体
２０４  ストッパ壁                    ２０５  軸座
３０  本体                            ３１  接触端
３２  干渉端                          ３３  ソルダー端
４０  スライドシート                  ４１  ガイドロッド
４２  弾性部品                        ４３  係合ロッド
４０１  案内溝                        ４０２  連動アーム
４０３  肩部                          ４０４  位置決め柱
４３０  取り付け端                    ４３１  係合端
５０、５１、５２  係止孔
６０  第１ピン                        ６１  第２ピン
６０１、６１１  本体                  ６０２、６１２  接触アーム
６０３、６１３  干渉アーム            ６０４、６１４  ソルダーアーム
６０５、６１５  支持アーム            ６０６、６１６  中段
６０７、６１７  自由端                ７０  係止溝
【図１】
0003113411.tif 000003
【図２】
0003113411.tif 000004
【図３】
0003113411.tif 000005
【図４】
0003113411.tif 000006
【図５】
0003113411.tif 000007
【図６】
0003113411.tif 000008
【図７】
0003113411.tif 000009
【図８】
0003113411.tif 000010
【図９】
0003113411.tif 000011